(57)【要約】      （修正有）【課題】波長変換部材が予め定められた箇所から脱落した場合でもレーザー光が反射面で反射され、灯具ユニット外へ直接照射されるのを抑制する。【解決手段】半導体レーザー素子１２と、予め定められた箇所に固定され、レーザー光の少なくとも一部を吸収して波長変換する波長変換部材１４と、レーザー光を集光して、波長変換部材１４を照射する集光レンズ１６と、を含む発光装置１０と、発光装置１０からの光を反射する反射面２２と、を備えた車両用灯具の灯具ユニット１００において、集光レンズ１６で集光されるレーザー光の集光点Ｐは、反射面２２上に位置しており、反射面２２上の集光点Ｐを含む少なくとも一部の領域は、レーザー光が集光点Ｐに集光しない状態で透明で、かつ、レーザー光が集光点Ｐに集光した状態で不透明部が発生して、集光点Ｐに集光するレーザー光を吸収する透明材料２８で覆われている。【選択図】図１
2014212067.tif 000002
【特許請求の範囲】
【請求項１】
レーザー光を放出する半導体レーザー素子と、予め定められた箇所に固定され、レーザー光の少なくとも一部を吸収して波長変換する波長変換部材と、前記半導体レーザー素子からのレーザー光を集光して、前記波長変換部材を照射する集光レンズと、を含む発光装置と、
前記発光装置からの光を反射する反射面と、を備えた車両用灯具の灯具ユニットにおいて、
前記波長変換部材が前記予め定められた箇所から脱落した状態で、前記集光レンズで集光される前記半導体レーザー素子からのレーザー光の集光点は、前記反射面上に位置しており、
前記反射面上の前記集光点を含む少なくとも一部の領域は、前記半導体レーザー素子からのレーザー光が前記集光点に集光しない状態で透明で、かつ、前記半導体レーザー素子からのレーザー光が前記集光点に集光した状態で不透明部が発生して、前記集光点に集光する前記半導体レーザー素子からのレーザー光を吸収する透明材料で覆われていることを特徴とする車両用灯具の灯具ユニット。
【請求項２】
前記不透明部は焦げであることを特徴とする請求項１に記載の車両用灯具の灯具ユニット。
【請求項３】
前記透明材料は、炭素を含むケイ素系材料であることを特徴とする請求項１又は２に記載の車両用灯具の灯具ユニット。
【請求項４】
前記透明材料は焦げ発生の起点となる吸収点を含むことを特徴とする請求項２又は３に記載の車両用灯具の灯具ユニット。
【発明の詳細な説明】
【技術分野】
【０００１】
本発明は、車両用灯具の灯具ユニットに係り、特に、半導体レーザー素子を光源に用いた車両用灯具の灯具ユニットに関する。
【背景技術】
【０００２】
従来、車両用灯具の分野においては、半導体レーザー素子を光源に用いた車両用灯具が提案されている（例えば、特許文献１参照）。
【０００３】
図６は、特許文献１に記載された車両用灯具２００の縦断面図である。
【０００４】
図６に示すように、特許文献１に記載された車両用灯具２００は、プロジェクタ型の灯具ユニットで、発光装置２１０、投影レンズ２２０、反射面２３０、これらを保持する保持部材２４０等を備えている。
【０００５】
発光装置２１０は、レーザー光を放出する半導体レーザー素子２１２、レーザー光の少なくとも一部を吸収して波長変換する波長変換部材２１４、半導体レーザー素子２１２からのレーザー光を集光して、波長変換部材２１４を照射する集光レンズ２１６、これらを保持するホルダ２１８等を備えている。波長変換部材２１４は、ホルダ２１８の上部開口端を覆った状態でホルダ２１８上部の予め定められた箇所に固定されている。
【０００６】
上記構成の車両用灯具２００においては、半導体レーザー素子２１２からのレーザー光は、集光レンズ２１６で集光されて、半導体レーザー素子２１２から離間した位置に配置された波長変換部材２１４を照射する。そして、レーザー光が照射された波長変換部材２１４は、これを透過するレーザー光とレーザー光による発光との混色による白色光（疑似白色光）をその上面から放出する。波長変換部材２１４からの光は、反射面２３０で反射され、投影レンズ２２０を透過して前方に照射されて、仮想鉛直スクリーン上に基本配光パターン（例えば、ロービーム用配光パターンの少なくとも一部）を形成する。
【先行技術文献】
【特許文献】
【０００７】
【特許文献１】特開２０１２−１１９１７０号公報
【発明の概要】
【発明が解決しようとする課題】
【０００８】
しかしながら、上記構成の車両用灯具２００においては、波長変換部材２１４等に作用する熱応力、波長変換部材２１４とホルダ２１８との接合部の劣化、振動等に起因して、波長変換部材２１４が予め定められた箇所から脱落する可能性があり、波長変換部材２１４が脱落した場合、半導体レーザー素子２１２からのレーザー光が、反射面２３０で反射され、投影レンズ２２０を透過して前方に直接照射されるという問題がある。
【０００９】
本発明は、このような事情に鑑みてなされたものであり、レーザー光を放出する半導体レーザー素子と、予め定められた箇所に固定され、レーザー光の少なくとも一部を吸収して波長変換する波長変換部材と、前記半導体レーザー素子からのレーザー光を集光して、前記波長変換部材を照射する集光レンズと、を含む発光装置と、前記発光装置からの光を反射する反射面と、を備えた車両用灯具の灯具ユニットにおいて、波長変換部材が予め定められた箇所から脱落した場合であっても、半導体レーザー素子からのレーザー光が反射面で反射され、灯具ユニット外へ直接照射されるのを抑制することができる車両用灯具の灯具ユニットを提供することを目的とする。
【課題を解決するための手段】
【００１０】
上記目的を達成するため、請求項１に記載の発明は、レーザー光を放出する半導体レーザー素子と、予め定められた箇所に固定され、レーザー光の少なくとも一部を吸収して波長変換する波長変換部材と、前記半導体レーザー素子からのレーザー光を集光して、前記波長変換部材を照射する集光レンズと、を含む発光装置と、前記発光装置からの光を反射する反射面と、を備えた車両用灯具の灯具ユニットにおいて、前記波長変換部材が前記予め定められた箇所から脱落した状態で、前記集光レンズで集光される前記半導体レーザー素子からのレーザー光の集光点は、前記反射面上に位置しており、前記反射面上の前記集光点を含む少なくとも一部の領域は、前記半導体レーザー素子からのレーザー光が前記集光点に集光しない状態で透明で、かつ、前記半導体レーザー素子からのレーザー光が前記集光点に集光した状態で不透明部が発生して、前記集光点に集光する前記半導体レーザー素子からのレーザー光を吸収する透明材料で覆われていることを特徴とする。
【００１１】
請求項１に記載の発明によれば、レーザー光を放出する半導体レーザー素子と、予め定められた箇所に固定され、レーザー光の少なくとも一部を吸収して波長変換する波長変換部材と、前記半導体レーザー素子からのレーザー光を集光して、前記波長変換部材を照射する集光レンズと、を含む発光装置と、前記発光装置からの光を反射する反射面と、を備えた車両用灯具の灯具ユニットにおいて、波長変換部材が予め定められた箇所から脱落した場合であっても、複雑な機構を用いること無く、半導体レーザー素子からのレーザー光が反射面で反射され、灯具ユニット外へ直接照射されるのを抑制することができる車両用灯具の灯具ユニットを提供することが可能となる。
【００１２】
これは、波長変換部材が予め定められた箇所から脱落した場合、半導体レーザー素子からのレーザー光が集光点に集光することで透明部材に不透明部（例えば、焦げ）が発生し、当該不透明部（例えば、焦げ）が集光点に集光する半導体レーザー素子からのレーザー光を吸収することによるものである。
【００１３】
半導体レーザー素子からのレーザー光が前記集光点に集光しない状態で透明で、かつ、半導体レーザー素子からのレーザー光が集光点に集光した状態で不透明部（例えば、焦げ）が発生して、集光点に集光する半導体レーザー素子からのレーザー光を吸収する透明材料としては、炭素を含むケイ素系材料、例えば、シロキサン結合（−Ｓｉ−Ｏ−Ｓｉ−結合）を主鎖とし置換基（例えば、メチル基またはフェニル基）を側鎖とした分子構造のシリコーン樹脂、その他分子構造のシリコーン樹脂、シリコーン複合剤を用いることができる。
【００１４】
なお、透明材料は焦げ発生の起点となる吸収点を含んでいてもよい。このようにすれば、不透明部（焦げ）の発生を加速させることが可能となる。
【発明の効果】
【００１５】
本発明によれば、レーザー光を放出する半導体レーザー素子と、予め定められた箇所に固定され、レーザー光の少なくとも一部を吸収して波長変換する波長変換部材と、前記半導体レーザー素子からのレーザー光を集光して、前記波長変換部材を照射する集光レンズと、を含む発光装置と、前記発光装置からの光を反射する反射面と、を備えた車両用灯具の灯具ユニットにおいて、波長変換部材が予め定められた箇所から脱落した場合であっても、半導体レーザー素子からのレーザー光が反射面で反射され、灯具ユニット外へ直接照射されるのを抑制することができる車両用灯具の灯具ユニットを提供することが可能となる。
【図面の簡単な説明】
【００１６】
【図１】灯具ユニット１００の縦断面図である。
【図２】ガラス基板上に塗布したシリコーン樹脂（厚み：1mm）に対して、青色レーザー光（レーザー出力：１Ｗ程度、レーザースポット径：Φ0.03mm）を照射した場合に発生した黒い焦げ２８ａの例である。
【図３】発熱量を変化させた場合のシリコーン温度の変化（シミュレーション結果）を、縦軸がシリコーン温度、横軸が発熱量である座標系にプロットしたグラフである。
【図４】熱源サイズ（レーザー光のスポットサイズに対応）を変化させた場合のシリコーン温度の変化（シミュレーション結果）を、縦軸がシリコーン温度、横軸が熱源サイズである座標系にプロットしたグラフである。
【図５】レーザー光の照射時間を変化させた場合のシリコーン温度の変化（シミュレーション結果）を、縦軸がシリコーン温度、横軸が時間である座標系にプロットしたグラフである。
【図６】特許文献１に記載された車両用灯具２００の縦断面図である。
【発明を実施するための形態】
【００１７】
以下、本発明の一実施形態である車両用灯具の灯具ユニット１００（以下、単に灯具ユニット１００と称する）について図面を参照しながら説明する。
【００１８】
図１は灯具ユニット１００の縦断面図である。
【００１９】
灯具ユニット１００は、プロジェクタ型の灯具ユニットで、図１に示すように、発光装置１０、投影レンズ２０、反射面２２、これらを保持する保持部材２４等を備えている。なお、灯具ユニット１００はプロジェクタ型の灯具ユニットに限定されず、反射型の灯具ユニットであってもよい。
【００２０】
発光装置１０は、半導体レーザー素子１２、波長変換部材１４、集光レンズ１６、これらを保持するホルダ１８等を備えている。
【００２１】
波長変換部材１４は、レーザー光の少なくとも一部を吸収して波長変換する波長変換部材である。波長変換部材１４は、ホルダ１８の上部開口端を覆った状態でホルダ１８上部の予め定められた箇所にシリコーンや低融点ガラス等の透明な接着剤により接着されて、固定されている。
【００２２】
波長変換部材１４としては、例えば、セリウムＣｅ等の付活剤が導入されたＹＡＧとアルミナＡｌ２Ｏ３との複合体（例えば、焼結体）で、外形が矩形でかつ互いに略平行に配置された下面及び上面を含む板状又は層状のものを用いることができる。波長変換部材１４の厚みは、目的の色度に応じて、適宜の厚みとすることができる。波長変換部材１４は、これを透過する半導体レーザー素子１２からのレーザー光と半導体レーザー素子１２からのレーザー光による発光との混色による白色光（疑似白色光）を放出する。
【００２３】
波長変換部材１４は、上記に限られず、例えば、セリウムＣｅ等の付活剤が導入されたＹＡＧとガラスバインダーとの複合体であってもよいし、その他の材料を用いたものであってもよい。波長変換部材１４の厚みは、その全域にわたって略均一であってもよいし、部分的に異なっていてもよい。波長変換部材１４の下面及び上面は、平面であってもよいし、曲面であってもよいし、凹凸及び／又は曲面を含む面であってもよい。波長変換部材１４は、直方体以外の、円柱形状であってもよいし、その他の形状であってもよい。なお、波長変換部材１４の下面及び／又は上面は拡散層で覆われていてもよい。
【００２４】
半導体レーザー素子１２は、レーザー光を放出する半導体発光素子である。半導体レーザー素子１２としては、例えば、発光波長が青系（４５０ｎｍ程度）のレーザー光を放出するレーザーダイオード等の半導体レーザー素子を用いることができる。本実施形態では、図１に示すように、半導体レーザー素子１２は、パッケージ化されて、キャンタイプの半導体レーザー光源１２Ａを構成している。
【００２５】
半導体レーザー素子１２の発光波長は、青系（４５０ｎｍ程度）に限定されず、例えば、近紫外域（４０５ｎｍ程度）であってもよいし、それ以外の波長であってもよい。半導体レーザー素子１２の発光波長が近紫外域（４０５ｎｍ程度）の場合、波長変換部材１４として、青、緑、赤の３色の蛍光体、もしくは、青、黄色の２色の蛍光体が用いられる。
【００２６】
図１に示すように、半導体レーザー素子１２（半導体レーザー光源１２Ａ）は、ホルダ１８内においてホルダ１８の下端側に固定されている。
【００２７】
集光レンズ１６は、半導体レーザー素子１２からのレーザー光Ｒａｙを集光して、波長変換部材１４を照射する集光レンズである。集光レンズ１６は、ホルダ１８内において波長変換部材１４と半導体レーザー素子１２との間に固定されている。波長変換部材１４が予め定められた箇所から脱落した状態で、集光レンズ１６で集光される半導体レーザー素子１２からのレーザー光Ｒａｙの集光点Ｐは、反射面２２上に位置している。
【００２８】
半導体レーザー素子１２からのレーザー光Ｒａｙは、集光レンズ１６で集光されて、半導体レーザー素子１２から離間した位置に配置された波長変換部材１４を照射する。スポットサイズは、例えば、長手が約１００μｍ、短手が約２０〜３０μｍの楕円形状に調整されている。レーザー光Ｒａｙが照射された波長変換部材１４は、これを透過するレーザー光とレーザー光による発光との混色による白色光（疑似白色光）をその上面から放出する。
【００２９】
投影レンズ２０は、アクリル等の透明樹脂製で、前方側表面（凸面）、後方側表面（例えば、平面又は凸面）及び後方側表面側の後側焦点Ｆを含む非球面レンズである。
【００３０】
投影レンズ２０、例えば、後側焦点Ｆが反射面２２の第２焦点Ｆ２（又はその近傍）に位置した状態で保持部材２４に保持されたレンズホルダ２６に固定されて、車両前後方向に延びる光軸ＡＸ上に配置されている。
【００３１】
反射面２２は、発光装置１０からの光を反射し、投影レンズ２０を透過させて前方に照射し、車両前面に正対した仮想鉛直スクリーン（車両前面から約２５ｍ前方に配置されている）上に基本配光パターン（例えば、ロービーム用配光パターンの少なくとも一部）を形成するように構成された反射面である。具体的には、反射面２２は、光軸ＡＸを含む断面形状が第１焦点Ｆ１及び第２焦点Ｆ２を含む楕円形状で、その離心率が鉛直断面から水平断面へ向けて徐々に大きくなるように設定された回転楕円系反射面（回転楕円面又はこれに類する自由曲面等）である。反射面２２は、その周縁下端部において保持部材２４に固定されている。
【００３２】
反射面２２は、上向き（半球方向）に放出される発光装置１０からの光が入射するように、発光装置１０（波長変換部材１４）の側方から上方にかけての範囲（但し、反射面２２からの反射光が通過する車両前方側領域を除く）をドーム状に覆っている。
【００３３】
反射面２２上の集光点Ｐを含む少なくとも一部の領域は、半導体レーザー素子１２からのレーザー光が集光点Ｐに集光しない状態（すなわち、波長変換部材１４が予め定められた箇所に固定されている状態）で透明で、かつ、半導体レーザー素子１２からのレーザー光が集光点Ｐに集光した状態（すなわち、波長変換部材１４が予め定められた箇所から脱落した状態）で不透明部（例えば、焦げ）が発生して、集光点Ｐに集光する半導体レーザー素子１２からのレーザー光を吸収する透明材料２８で覆われている。このような性質を持つ透明材料２８としては、炭素を含むケイ素系材料、例えば、シロキサン結合（−Ｓｉ−Ｏ−Ｓｉ−結合）を主鎖とし置換基（例えば、メチル基またはフェニル基）を側鎖とした分子構造のシリコーン樹脂、その他分子構造のシリコーン樹脂、シリコーン複合剤を用いることができる。
【００３４】
次に、シリコーン樹脂（透明材料２８）の効果を確認するために行った実施例について説明する。
【００３５】
実施例では、ガラス基板上に塗布したシリコーン樹脂（厚み：1mm）に対して、青色レーザー光（レーザー出力：１Ｗ程度、レーザースポット径：Φ0.03mm）を照射した。その結果、シリコーン樹脂（透明材料２８）に、図２に示すような不透明部２８ａ（黒い焦げ）が発生した。
【００３６】
本願の発明者は、シリコーンがレーザー光をどの程度吸収するかを調べるため、熱シミュレーションを行った。
【００３７】
シミュレーション条件は次のとおりである。シリコーン樹脂はガラス基板上に塗布されている。熱源はシリコーン樹脂である。発熱サイズはΦ0.03mm（レーザー光のスポットを想定）である。
【００３８】
図３は上記シミュレーション条件の下、発熱量を変化させた場合のシリコーン温度の変化（シミュレーション結果）を、縦軸がシリコーン温度、横軸が発熱量である座標系にプロットしたグラフである。
【００３９】
図３を参照すると、発熱量が増加するとシリコーン温度がこれに比例して上昇することが分かる。
【００４０】
シリコーンの分解温度は500℃以上である。このため、発熱量が0.3W以上でないと不透明部２８ａ（黒い焦げ）は発生しない。
【００４１】
しかしながら、シリコーン樹脂の透過率は90％以上である。このため、レーザー出力が１Ｗの場合、吸収される熱量は多く見積もって0.1Wである。この熱量がシミュレーション結果の発熱量と考えると、200℃程度温度が上昇する。しかしながら、シリコーンの分解温度は500℃以上であるため、200℃程度温度が上昇しても不透明部２８ａ（黒い焦げ）は発生しない。
【００４２】
よって、何らかの影響でシリコーンの透過率が70％以下になったと考えられる。
【００４３】
上記実施例でシリコーン樹脂に、図２に示すような不透明部２８ａ（黒い焦げ）が発生した原因を考察すると（メカニズムは解明できていないが）、シリコーン樹脂にレーザー光が照射された瞬間にシリコーン樹脂表面の一部が分解され、吸収点が生じ、これを起点に熱が吸収され分解を繰り返す連鎖反応が生じたものと考えられる。
【００４４】
また、本願の発明者は、熱源サイズ（集光点のサイズ）とシリコーンの温度との関係を調べるため、熱シミュレーションを行った。
【００４５】
シミュレーション条件は次のとおりである。シリコーン樹脂はガラス基板上に塗布されている。熱源はシリコーン樹脂である。発熱量は１Ｗである。
【００４６】
図４は上記シミュレーション条件の下、熱源サイズ（レーザー光のスポットサイズに対応）を変化させた場合のシリコーン温度の変化（シミュレーション結果）を、縦軸がシリコーン温度、横軸が熱源サイズである座標系にプロットしたグラフである。
【００４７】
図４を参照すると、熱源サイズが小さくなると急激にシリコーン温度が上昇する（累乗関数的に急激に上昇する）ことが分かる。温度が上昇すると、不透明部２８ａ（黒い焦げ）が発生する速度が速くなる。速やかに不透明部２８ａ（黒い焦げ）を発生させるためには、熱源サイズ（集光点のサイズ）を最少にするのが望ましいが、目的の速度（温度）に応じて熱源サイズ（集光点のサイズ）を変更してもよい。
【００４８】
また、本願の発明者は、レーザー光の照射時間とシリコーン温度との関係を調べるため、熱シミュレーションを行った。
【００４９】
シミュレーション条件は次のとおりである。シリコーン樹脂はガラス基板上に塗布されている。熱源はシリコーン樹脂である。発熱サイズはΦ0.03mm（レーザー光のスポットを想定）である。
【００５０】
図５は上記シミュレーション条件の下、レーザー光の照射時間を変化させた場合のシリコーン温度の変化（シミュレーション結果）を、縦軸がシリコーン温度、横軸が時間である座標系にプロットしたグラフである。
【００５１】
図５を参照すると、1msec程度で不透明部２８ａ（黒い焦げ）が発生するのに充分な温度（約１８００℃）まで上昇することが分かる。なお、連鎖反応で不透明部２８ａ（黒い焦げ）が発生すると考えると、速度は多少変化すると予想される。
【００５２】
なお、透明材料２８中に予め不透明部２８ａ（黒い焦げ）の起点となる吸収点を作成することにより、さらに不透明部２８ａ（黒い焦げ）の発生を加速させることが可能である。この吸収点としては、例えば、金属微粒子、有機物微粒子、カーボン微粒子、蛍光体微粒子、酸化物微粒子などを用いることができる。
【００５３】
保持部材２４は、投影レンズ２０の後側焦点Ｆから発光装置１０に向かって延びるミラー面３０を含んでいる。ミラー面３０の前端縁３０ａは、投影レンズ２０の球面収差による影響を抑制し、カットオフラインを明瞭なものとする観点から、直線ではなく、投影レンズ２０の球面収差に応じて湾曲した形状とされている。
【００５４】
ミラー面３０に入射した発光装置１０からの光は、上向きに反射されて、投影レンズ２０で屈折してカットオフライン以下に照射される。すなわち、上向きに反射される発光装置１０からの光がミラー面３０の前端縁３０ａ（カットオフライン）を境に折り返される形となる。
【００５５】
上記構成の灯具ユニット１００においては、波長変換部材１４が予め定められた箇所に固定されている場合、半導体レーザー素子１２からのレーザー光Ｒａｙは、集光レンズ１６で集光されて、半導体レーザー素子１２から離間した位置に配置された波長変換部材１４を照射する。そして、レーザー光Ｒａｙが照射された波長変換部材１４は、これを透過するレーザー光とレーザー光による発光との混色による白色光（疑似白色光）をその上面から放出する。波長変換部材１４からの光は、反射面２２（透明材料２８で覆われた領域を含む）で反射され、投影レンズ２０を透過して前方に照射されて、仮想鉛直スクリーン上に基本配光パターン（例えば、カットオフラインを含むロービーム用配光パターンの少なくとも一部）を形成する。
【００５６】
一方、上記構成の灯具ユニット１００においては、波長変換部材１４等に作用する熱応力、波長変換部材１４とホルダ１８との接合部の劣化、振動等に起因して、波長変換部材１４が予め定められた箇所から脱落した場合、半導体レーザー素子１２からのレーザー光Ｒａｙは、集光レンズ１６により反射面２２上の集光点Ｐに集光する。その結果、透明材料２８に不透明部２８ａ（黒い焦げ）が発生し、集光点Ｐに集光する半導体レーザー素子１２からのレーザー光Ｒａｙが吸収される。これにより、波長変換部材１４が予め定められた箇所から脱落した場合、半導体レーザー素子１２からのレーザー光Ｒａｙが、反射面２２で反射されて、投影レンズ２０を透過して前方へ直接照射されるのを抑制することが可能となる。
【００５７】
以上説明したように、本実施形態の灯具ユニット１００によれば、レーザー光を放出する半導体レーザー素子１２と、予め定められた箇所に固定され、レーザー光の少なくとも一部を吸収して波長変換する波長変換部材１４と、半導体レーザー素子１２からのレーザー光を集光して、波長変換部材１４を照射する集光レンズ１６と、を含む発光装置１０と、発光装置１０からの光を反射する反射面２２と、を備えた車両用灯具の灯具ユニット１００において、波長変換部材１４が予め定められた箇所から脱落した場合であっても、複雑な機構を用いること無く、半導体レーザー素子１２からのレーザー光が反射面２２で反射され、灯具ユニット１００外へ直接照射されるのを抑制することができる車両用灯具の灯具ユニットを提供することが可能となる。
【００５８】
これは、波長変換部材１４が予め定められた箇所から脱落した場合、半導体レーザー素子１２からのレーザー光が集光点Ｐに集光することで透明部材２８に不透明部２８ａ（黒い焦げ）が発生し、当該不透明部２８ａ（黒い焦げ）が集光点Ｐに集光する半導体レーザー素子１２からのレーザー光を吸収することによるものである。
【００５９】
また、本実施形態の灯具ユニット１００によれば、半導体レーザー素子１２の出力が高くなると、それに従って不透明部２８ａ（黒い焦げ）の発生速度が向上するため、新たな機構を加えること無く、迅速にレーザー光を遮断することが可能となる。
【００６０】
また、集光点Ｐが反射面２２上に位置しており、波長変換部材１４に照射されるレーザー光の密度が低くなるため、波長変換部材１４の消光を抑制することが可能となる。
【００６１】
さらに、反射面２２が透明材料２８で覆われているため、反射面２２を保護することが可能となる。
【００６２】
上記実施形態はあらゆる点で単なる例示にすぎない。これらの記載によって本発明は限
定的に解釈されるものではない。本発明はその精神または主要な特徴から逸脱することなく他の様々な形で実施することができる。
【符号の説明】
【００６３】
１０…発光装置、１２…半導体レーザー素子、１２Ａ…半導体レーザー光源、１４…波長変換部材、１６…集光レンズ、１８…ホルダ、２０…投影レンズ、２２…反射面、２４…保持部材、２６…レンズホルダ、２８…透明材料、３０…ミラー面、３０ａ…前端縁、１００…灯具ユニット
【図１】
2014212067.tif 000003
【図３】
2014212067.tif 000004
【図４】
2014212067.tif 000005
【図５】
2014212067.tif 000006
【図６】
2014212067.tif 000007
【図２】
2014212067.tif 000008